(57)【特許請求の範囲】
【請求項１】
スライド移動方向の位置を把握するための目盛りが付されたパネル面を有する電子機器に配設され、前記パネル面の上を、操作により、決まった方向に往復スライド移動する摘み部を有するスライド操作装置であって、
前記摘み部は、その上面であって操作される指接面と、その底面であって前記パネル面に対向する対向面とを有し、
スライド移動方向における前記摘み部の部位のうち、前記指接面の幅よりも前記対向面の幅の方が狭い底側幅狭部位が存在し、
前記スライド移動方向における前記指接面の所定位置には、形状または色彩によって、視覚的に認識されるマーク部が施され、前記摘み部には、前記スライド移動方向における前記マーク部が施された位置と同じ位置において突設部が幅方向に突設され、前記突設部の底面の幅の方が、前記摘み部の前記対向面のうち前記突設部が突設されていない部位の底面の幅よりも広く、
前記突設部の突設方向における端面は、前記指接面の幅方向における端面に対して面一かまたは突出していないことを特徴とするスライド操作装置。
【請求項２】
前記突設部の突設方向における端面は、上下方向に平行で且つ、前記指接面の幅方向における端面と面一であることを特徴とする請求項１記載のスライド操作装置。
【発明の詳細な説明】
【技術分野】
【０００１】
本発明は、目盛りが付された電子機器のパネル面の上を、操作により摘み部がスライド移動するように配設されるスライド操作装置に関する。
【背景技術】
【０００２】
従来、ミキサ装置等の電子機器には、各種パラメータを設定するためのフェーダ操作装置等のスライド操作装置が配設される。例えば、下記特許文献１、２の装置では、電子機器のパネル面のガイド溝であるスリットから、スライド操作装置の操作ノブである摘み部が突出し、操作により、該摘み部がスリットに沿ってパネル面の上をスライド移動するようにスライド操作装置が配設される。パネル面には、摘み部の現在位置を把握するための目盛りが付されている。
【０００３】
摘み部は、一般に、指で操作される上面（指接面）と、パネル面に対向する底面（対向面）とを有する。特に、下記特許文献１の装置では、摘み部において、上記指接面と上記対向面とに連接する左右の側面は平坦で、上記指接面と上記対向面の幅はスライド移動方向において一様である。上記指接面から側面にかけて、スライド方向における略中央に、１本のマーク部が設けられている。操作者は、マーク部が指し示すパネル面上の目盛りを読み取り、摘み部の現在位置を把握する。
【特許文献１】実開平０５−４５８５７号公報
【特許文献２】特開平０８−１３７４６３号公報
【発明の開示】
【発明が解決しようとする課題】
【０００４】
しかしながら、パネル面上の目盛りは、摘み部が位置する領域においては摘み部によって大半が隠れるため、目盛りのうち摘み部の側部からはみ出している部分をたよりに、操作者は摘み部の現在位置を把握しなければならない。ところが、ミキサ装置等のように、スライド操作装置が多数配設される電子機器においては、パネル面に対するスライド操作装置の１つ分の幅方向における配設スペースに多くを割くと、電子機器自体の幅が拡大する。そのため、目盛りの長さを極力短く設定し、摘み部からはみ出す部分も最小限とせざるを得ない。その一方、目盛りを見やすくするために摘み部の幅をあまりに小さくすると、操作性が悪くなる。
【０００５】
そのため、摘み部の操作性及び目盛りの視認性を確保することと、パネル面に対するスライド操作装置の幅方向における必要配設スペースを小さくすることとを両立させるのは、困難であるという問題があった。
【０００６】
本発明は上記従来技術の問題を解決するためになされたものであり、その目的は、パネル面に対するスライド操作装置の幅方向における必要配設スペースを拡大させることなく、摘み部の操作性を確保しつつ、目盛りの視認性を向上させることができるスライド操作装置を提供することにある。
【課題を解決するための手段】
【０００７】
上記目的を達成するために本発明の請求項１のスライド操作装置は、スライド移動方向の位置を把握するための目盛り（１３）が付されたパネル面（１１）を有する電子機器（１０）に配設され、前記パネル面の上を、操作により、決まった方向に往復スライド移動する摘み部（３０）を有するスライド操作装置（２０）であって、前記摘み部は、その上面であって操作される指接面（３４）と、その底面であって前記パネル面に対向する対向面（３２）とを有し、スライド移動方向における前記摘み部の部位のうち、前記指接面の幅よりも前記対向面の幅の方が狭い底側幅狭部位が存在し、前記スライド移動方向における前記指接面の所定位置には、形状または色彩によって、視覚的に認識されるマーク部が施され、前記摘み部には、前記スライド移動方向における前記マーク部が施された位置と同じ位置において突設部が幅方向に突設され、前記突設部の底面の幅の方が、前記摘み部の前記対向面のうち前記突設部が突設されていない部位の底面の幅よりも広く、前記突設部の突設方向における端面は、前記指接面の幅方向における端面に対して面一かまたは突出していないことを特徴とする。
【０００９】
なお、上記括弧内の符号は例示である。
【発明の効果】
【００１０】
本発明の請求項１によれば、パネル面に対するスライド操作装置の幅方向における必要配設スペースを拡大させることなく、摘み部の操作性を確保しつつ、目盛りの視認性を向上させることができる。また、マーク部と同じ位置に設けられた突設部と目盛りとの相対位置から、摘み部の現在位置を一層認識しやすくすることができる。
【発明を実施するための最良の形態】
【００１２】
以下、本発明の実施の形態を図面を参照して説明する。
【００１３】
図１（ａ）は、本発明の一実施の形態に係るスライド操作装置が配設された電子機器のパネル面の一部を示す斜視図である。図１（ｂ）は、上記電子機器の縦断面を示す模式図である。
【００１４】
この電子機器１０は、例えば、ミキサ装置として構成される。スライド操作装置２０は、図１（ｂ）に示すように、本体２１、端子２３、モータ２２、摘み部３０等を含んで構成され、同じ構成のものが、図１（ｂ）の奥行き方向に並列的に多数配設される。本体２１は、パネル面１１の所定部、例えば下部に対して配設され、本体２１、端子２３及びモータ２２が、パネル面１１の下方に位置し、摘み部３０が、パネル面１１の上方に位置する。
【００１５】
図１（ａ）に示すように、パネル面１１は、境界線１８によって配設区画が分かれており、隣接する境界線１８間に１つのスライド操作装置２０が配設される。境界線１８は、描かれた線でなるが、視覚的に認識できることは必須でない。各配設区画の構成は同一である。操作者は、図１（ｂ）の右方に位置する。以降、操作者からみて、左右方向を、摘み部３０の幅方向とも呼称する。電子機器１０からみて操作者側を前側とする。
【００１６】
図１（ａ）に示すように、パネル面１１の各配設区画において、右側の境界線１８近傍には、多数のＬＥＤからなるインジケータ１４が前後方向に沿って設けられ、インジケータ１４の前方に２つのＬＥＤ１５、１６が設けられる。また、スリット１２が前後方向に沿って形成され、スリット１２から、左右両側に、目盛り１３が描かれている。目盛り１３は、前後方向において、例えば一定間隔で、複数描かれ、各目盛り１３の右側には目盛り値１７が数値で表記されている。
【００１７】
摘み部３０は、操作により、前後方向に往復スライド移動自在になっている。各配設区画に配設されるスライド操作装置２０は、例えば、入出力チャンネル、マスターチャンネル、ＡＵＸチャンネル等のそれぞれのチャンネルに対応し、摘み部３０をスライド操作することで、各々のチャンネルにおける各種パラメータを当該スライド操作装置２０で設定することができる。
【００１８】
図２（ａ）は、摘み部３０の上面図、図２（ｂ）は左側面図、図２（ｃ）は底面図である。摘み部３０は、マーク部３７及び突設リブ３６（３６Ｌ、３６Ｒ）を除き、樹脂等で一体に形成される。ただし、マーク部３７及び突設リブ３６も含めて全体が一体に形成されていてもよい。
【００１９】
摘み部３０は、湾曲したほぼ一様の厚みの板部３５と、板部３５の下方内側に連接する取り付け用肉部３１とを有する。取り付け用肉部３１の下部には、図２（ｃ）に示すように、下方に開口した嵌合用凹部３３が形成されている。スライド操作装置２０の本体２１（図１（ｂ）参照）内において、Ｔ字型軸体２６（図２（ｂ）参照）が前後方向に移動自在に設けられている。Ｔ字型軸体２６は、軸部２４と頭部２５とを有する。
【００２０】
Ｔ字型軸体２６の軸部２４が、スリット１２（図１（ａ）参照）を貫通し、頭部２５がパネル面１１から露出した状態で、頭部２５に取り付け用肉部３１の嵌合用凹部３３を嵌合することで、Ｔ字型軸体２６に対して摘み部３０が装着される。そして、摘み部３０の操作により、軸部２４がスリット１２内を前後方向に移動することで、摘み部３０がＴ字型軸体２６と一緒に本体２１及びパネル面１１に対して前後方向に移動する。
【００２１】
摘み部３０（乃至板部３５）の上面のうち、主に上方を向いている領域が、指で直接触れられて操作がなされる指接面３４である（図２（ａ）、（ｂ）参照）。一方、摘み部３０の底面のうち、パネル面１１に対して平行に対向する領域が対向面３２である（図２（ｂ）、（ｃ）参照）。対向面３２は、取り付け用肉部３１の底面でもある。摘み部３０は前後対称に構成され、嵌合用凹部３３の形状を除けば左右対称でもある。
【００２２】
板部３５の幅（左端面３５ａと右端面３５ｂとの距離）は、前後方向において一様である（図２（ａ）、（ｃ）参照）。一方、取り付け用肉部３１の幅（左側面３１ａと右側面３１ｂとの距離）は、板部３５の幅よりも小さく、左右両側において対称的に内側に奥まっている。なお、奥まり方は非対称でもよい。
【００２３】
マーク部３７は、板部３５の前後方向中央（所定位置）において、幅方向に沿って設けられる（図２（ａ）、（ｂ）参照）。突設リブ３６Ｌ、３６Ｒは、取り付け用肉部３１から左右に突設される（図２（ｂ）、（ｃ）参照）。前後方向における突設リブ３６Ｌ、３６Ｒの位置は、マーク部３７と同じである。突設リブ３６Ｌの端面３６Ｌａ及び突設リブ３６Ｒの端面３６Ｒａは、それぞれ、板部３５の左端面３５ａ及び右端面３５ｂと面一である。従って、突設リブ３６の幅は、板部３５と同じである。
【００２４】
マーク部３７と突設リブ３６とは、実際には、板部３５とは色が異なる樹脂で一体に形成された板状部材であり、該板状部材が、上方から板部３５から取り付け用肉部３１にかけて形成された不図示の溝に嵌合されることで板部３５等に固定される。しかし、マーク部３７と突設リブ３６とは別体でもよい。特に、マーク部３７については、指接面３４において識別できればよいので、形状的または色彩的な特徴によって施されるものであってもよく、線状に限るものでもない。
【００２５】
かかる構成において、操作者は、通常、指接面３４に指をかけて摘み部３０を前後にスライド移動させて、パラメータ等の設定を行う。その際、設定の状態を示す摘み部３０の現在位置を、マーク部３７が位置している目盛り１３の右側に付された目盛り値１７を読むことで把握する。
【００２６】
ここで、取り付け用肉部３１の左側面３１ａ、右側面３１ｂが、板部３５の左端面３５ａ、右端面３５ｂよりも幅方向内側に奥まっていることから、平面視では板部３５に隠れて少ししかみえない目盛り１３でも、左右方向斜め上方からであれば、より長い領域が見えることになる（図１（ａ）参照）。これにより、目盛り１３の視認性が向上する。それでいて、板部３５の幅（すなわち、指接面３４の幅）は、従来と同じでよいので、操作性が悪化することがなく、且つ、スライド操作装置２０の１つ当たりの幅方向における配設スペース（配設ピッチ）を拡大させる必要もない。仮に、指接面３４の幅を従来より少し広くしたとしても、上記ピッチは逆に狭くすることも可能である。
【００２７】
しかも、突設リブ３６が、マーク部３７に連接しているので、実際には、操作者は、突設リブ３６の下端が指し示す目盛り１３から、設定の状態を把握することができる。突設リブ３６の前後領域では、取り付け用肉部３１が存在して内側に奥まっていることから、目盛り１３を良好に視認することができる。
【００２８】
このように、目盛り１３の視認性を向上させるためには、結局、スライド移動方向（前後方向）における摘み部３０のうち、指接面３４の幅よりも対向面３２（図２（ｂ）、（ｃ）参照）の幅の方が狭い部位（以下、「底側幅狭部位」と呼称する）が存在すればよい。本実施の形態では、底側幅狭部位は、スライド移動方向における指接面３４及び対向面３２を含んだ部位のうち、突設リブ３６が存在していない部位が該当する。
【００２９】
また、突設リブ３６による目盛り１３の視認性の向上は、突設リブ３６が、取り付け用肉部３１の左側面３１ａ、右側面３１ｂよりも左右に多少でも突出していれば発揮される。従って、突設リブ３６の左右両端面３６Ｌａ、３６Ｒａは、板部３５の左右両端面３５ａ、３５ｂと面一である必要はなく、左右両端面３５ａ、３５ｂに対してそれぞれ突出または引っ込んでいてもよい。
【００３０】
また、左右両端面３６Ｌａ、３６Ｒａは、鉛直方向に平行である必要はなく、突設リブ３６が突設されている部位の底面（事実上、突設リブ３６の底面）の幅の方が、対向面３２のうち突設リブ３６が突設されていない部位の底面の幅よりも広ければよい。実際に、本実施の形態では、対向面３２のうち、突設リブ３６が突設されていない部位の底面の幅よりも幅が広くなっているのは、突設リブ３６の底面の部分だけである。なお、突設リブ３６の底面は、パネル面１１に極力近接しているのが望ましいが、取り付け用肉部３１と面一であることは必須でない。
【００３１】
なお、スライド移動方向における突設リブ３６の位置は、マーク部３７と同じとすればよく、両者とも、スライド移動方向における中央である必要はない。
【００３２】
本実施の形態によれば、スライド移動方向における摘み部３０の大半の領域で、指接面３４の幅よりも対向面３２の幅の方が狭いので、パネル面１１に対するスライド操作装置２０の幅方向における必要配設スペースを拡大させることなく、摘み部３０の操作性を確保しつつ、目盛り１３の視認性を向上させることができる。特に、平面視において、摘み部によって目盛りの一部が隠れるようなパネル面上で操作される摘み部を有するスライド操作装置に好適である。しかも、そのようなスライド操作装置が非常に多数配設されるような電子機器には特に有効である。
【００３３】
また、スライド移動方向におけるマーク部３７と同じ位置に設けられた突設リブ３６の底面の幅の方が、対向面３２のうち突設リブ３６が突設されていない部位の底面の幅よりも広いので、突設部３６と目盛り１３との相対位置から、摘み部３０の現在位置を一層認識しやすくすることができる。
【００３４】
なお、本実施の形態では、摘み部３０は、形態上、板部３５と取り付け用肉部３１とに区別されたが、これらは区別される必要はなく、例えば、図３（ａ）、（ｂ）に変形例を示すように、摘み部３０の上面と底面との関係で、上記「底側幅狭部位」が存在するように構成すればよい。
【００３５】
図３（ａ）は、第１変形例の摘み部３０の左側面図、図３（ｂ）は、図３（ａ）のＡ−Ａ線に沿う断面図である。摘み部３０の上側の左右の側面３０ａ、３０ｂに連接して、下側の左右の側面３０ｃ、３０ｄが形成される。これら下側の側面３０ｃ、３０ｄは、下方にいくにつれて左右方向内側に傾斜するテーパ面である。この構成であっても、スライド移動方向において「底側幅狭部位」が存在するという要件は満たす。
【００３６】
また、図１の例と同様に、下側の側面３０ｃ、３０ｄからは、スライド移動方向における、指接面３４のマーク部３７と同じ位置において、突設リブ３６Ｌ、３６Ｒが突設されている。これにより、対向面３２のうち、突設リブ３６が突設されている部位の底面の幅の方が、突設リブ３６が突設されていない部位の底面の幅よりも広い、という要件も満たしている。
【００３７】
また、図３（ｃ）に変形例を示すように、取り付け用肉部３１の側面は、平坦な面でなくてもよい。図３（ｃ）は、第２変形例の摘み部３０を斜め下方からみた斜視図である。この変形例では、取り付け用肉部３１は、割り溝であるスリット３１ｃが形成された円筒状に形成され、左右の両側面３１ａ、３１ｂは、略半円状である。両側面３１ａ、３１ｂからは、突設リブ３６Ｌ、３６Ｒが突設されている。スリット３１ｃに、Ｔ字型軸体２６の頭部２５を嵌合することで、Ｔ字型軸体２６に摘み部３０が装着される。
【００３８】
突設リブ３６を含む取り付け用肉部３１の底面が、対向面３２となる。この変形例でも、両側面３１ａ、３１ｂが、板部３５の左右両端面３５ａ、３５ｂよりも内側に奥まっており、突設リブ３６も有するので、上記２つの要件を満たす。
【００３９】
このように考えると、スライド移動方向において「底側幅狭部位」が存在するという要件を満たす上で、板部３５の幅は、スライド移動方向において一様でなくてもよい。すなわち、スライド移動方向における各位置同士で比較した場合に、指接面３４の幅よりも対向面３２の幅の方が狭くなっていればよい。
【００４０】
なお、構成を簡単にする観点からは、突設リブ３６は必須でない。また、本発明が適用されるスライド操作装置２０の摘み部３０の移動方向は、決まった往復方向であればよく、前後方向に限られない。
【００４１】
なお、本発明のスライド操作装置２０が適用される電子機器は、ミキサ装置等の信号処理装置に限られず、スライド操作によって何らかの設定や処理を行う電子機器であればよい。
【図面の簡単な説明】
【００４２】
【図１】本発明の一実施の形態に係るスライド操作装置が配設された電子機器のパネル面の一部を示す斜視図（図（ａ））、電子機器の縦断面を示す模式図（図（ｂ））である。
【図２】摘み部の上面図（図（ａ））、左側面図（図（ｂ））、底面図（図（ｃ））である。
【図３】第１変形例の摘み部の左側面図（図（ａ））、図（ａ）のＡ−Ａ線に沿う断面図（図（ｂ））、第２変形例の摘み部を斜め下方からみた斜視図（図（ｃ））である。
【符号の説明】
【００４３】
１０  電子機器、  １１  パネル面、  １３  目盛り、  ２０  スライド操作装置、  ３０  摘み部、  ３１  取り付け用肉部、  ３２  対向面、  ３４  指接面、  ３５  板部、  ３６  突設リブ、  ３７  マーク部
【図１】
0005130949.tif 000002
【図２】
0005130949.tif 000003
【図３】
0005130949.tif 000004